(57)【要約】      （修正有）【課題】ネクタイ、蝶ネクタイやマフラーなど容易に着脱できる首まわりの装飾品の装着構造を提供する。【解決手段】ネクタイの場合には、従来通りのやり方で、首にしっかりと取り付ける。そのネクタイを首の後ろから真っ二つに切り離す。次に裏向けて結び目の中心から１５０ｍｍまでのところでカットし、カット部分の綻びが見えないよう内側に折り曲げ縫製加工、または熱溶着テープで仕上げる。次に、仕上げた裏側に面ファスナーを約６０−１３５ｍｍの範囲で溶着する。一方、ワイシャツの襟の裏側にもそれを受け止められるよう、面ファスナーを襟元の中心から約４０−１００ｍｍまで熱溶着する。蝶ネクタイでは、従来首周りを一周させていたものを上記ネクタイ同様真後から切り、面ファスナーを裏側に同様に熱溶着する。また、マフラーの場合には、従来のマフラーを真っ二つに切り面ファスナーを片方は斜めに溶着しておく。切断面は綺麗に縫製しておく。【選択図】図１−１
0003142893.tif 000002
【実用新案登録請求の範囲】
【請求項１】
面ファスナー（以下製品Ａと称す）を使いワンタッチで襟首に装着する装飾品。
【考案の詳細な説明】
【技術分野】
【０００１】面ファスナーを使う事に拠り、ネクタイばかりでなく、蝶ネクタイその他首周りに付ける装飾品、マフラーまでワンタッチで取り付け、取り外す方式に関するものである。
【背景技術】
【０００２】−ネクタイの場合：これまで毎回使用時にネクタイを首の後ろまで回し、前で首周りにびったりと付くまできつく結んでいた。
−蝶ネクタイの場合：首の周りに一周する紐でぶら下げていた。
−その他装飾品をネクタイに付けることは、毎回結び直すので縫製加工が出来なかった。
−マフラーの場合：平均１４０ｃｍ程の長く嵩張るものを首にかけ、お腹の前で合わせていた。
【考案の開示】
【考案が解決しようとする課題】
【０００３】−ネクタイの場合：
（１）使用前毎回複雑に結び、使用後取り解くため、正確に装着するのが大変で、時間がかかり、神経を使った。又その作業のためネクタイがしわくちゃになり痛みやすかった。
（２）首周り一周をきつく締め上げる事は、熱い時には汗をかく元になり、医学的にも頚動脈を強く圧迫するので健康に悪い。
−蝶ネクタイの場合：
（１）従来方式は首周りを一周する紐でぶら下げて前で金具で止めていた。
そのため、前で付けるのが面倒で、又紐でぶら下げるので全体が下向きになりがちで、だらしなく感じさせる事が多かった。
−アクセサリー、シンボルマーク等の装飾品の場合：
（１）毎回ネクタイイを締めるのでは装飾品を一定のところに固定することは難しい。
（２）表面積の大きな装飾品を取り付ける良い手段がなかった。
−マフラーの場合：従来品は全長が１，５００ｍｍ前後と長いので嵩張り、付ける時、取り外した後が嵩張りいやらしい。
【課題を解決するための手段】
【０００４】−ネクタイの場合：まずネクタイを従来通りのやり方で、首にしっかりと取り付ける。
次にそのネクタイを首の後ろから真っ二つに切り離す。次に裏向けて結び目の中心から１５０ｍｍまでのところでカットし、カット部分の綻びが見えないよう内側に折り曲げ縫製加工、または熱溶着テープで仕上げる。次に、仕上げた裏側に面ファスナーを約６０−１３５ｍｍの範囲で溶着する。一方、ワイシャツの襟の裏側にもそれを受け止められるよう、面ファスナーを襟元の中心から約４０−１００ｍｍまで熱溶着する。
−蝶ネクタイの場合：従来首周りを一周させていたものを上記ネクタイ同様真後から切り、面ファスナーを裏側に同様に熱溶着する。
−装飾品の場合：結び終わったネクタイに結び目又は下に垂れ下がった部分に好きな様に取り付ける。又表面積の大きな装飾品は蝶ネクタイと同様のやり方で商品の裏側に面ファスナーを取り付ける。
−マフラーの場合：従来のマフラーを真っ二つに切り面ファスナーを図５の様に片方は斜めに溶着しておく。切断面は綺麗に縫製しておく。
【考案の効果】
【０００５】−ネクタイの場合：
（１）一度ネクタイを結んで加工すれば原則として半永久に解き解く必要が無いので、付け外しに時間、手間が掛からず神経を使う事もなくなった。
（２）従来方式では毎回結び、解く必要があったため、結び目の部分が皺くちゃになり、痛みやすかったが、今回はいじらないので商品が何時までも傷まず長持ちするようになった。
（３）従来方式では首を締め付けるので、熱い時汗をかきやすく、気分が悪かった。
今回はワンタッチで首の前方に付けるだけなので頚動脈を圧迫する事がないので医学的にも優れており、付けている事を忘れるほど軽い。
−蝶ネクタイの場合：
従来は取り付け方式がくびを一周するテープでぶら下げる方式ゆえ、付ける時襟全体を上向きに巻き上げ金具を襟元で引っ掛けるのに数分かかった。
又商品の取り付けが緩いので、下向きになりがちでだらしなく感じさせたが今回はファスナーで固定されているので、上向きに品良く付いている。
−アクセサリー、シンボルマーク等装飾品：
（１）ネクタイは一旦加工したら、その後は結び目はいじらないので好きな装飾品を付ける事が出来る。
（２）表面積の大きな商品も蝶ネクタイと同じ方式で取り付けられる。
−マフラーの場合：従来商品は全長１，５００ｍｍ前後と長いので装着も手間だし、取った後嵩張っているので嫌がられたが、今回は半分の長さなので背広のポケットにも簡単に収納でき、寒い風が吹いてきたら簡単に取り出せ装着できる。
【考案の実施するための最良の形態】
【０００６】−ネクタイの場合：夏の暑いとき、クールビズ対策として格好です。襟元を１０−２０ｍｍ空けて着けてもかっこ悪くない。又そうすればネクタイを装着している事を忘れるくくらい軽い感じです。又お客と対面する時だけ付け終われば直ぐ取り外しておく。
−蝶ネクタイの場合：お客と対面時に装着し。終われば取り外し鞄、又はポッケトに入れ嵩張らないのがよい。
−アクセサリー、シンボルマーク等の装飾品の場合：
同じネクタイを毎日していても同品を変えればあきがこない。蝶ネクタイと同じクラスと考えればよい。
−マフラーの場合：従来のマフラー一本から二本出来、安上がりで、また嵩張らないのが良い。
マフラーの機能は首周りの寒さ除けなので、従来品のように長く、お腹まで回す意味が無い。又半分に切ったとき、従来品の一方の端が正面から垂れ胸元をカバーしているデザイン的にも全く見劣りがしない。ウオームビズに最適です。
【実施例】
【０００７】以下、添付図面に従って一実例を説明する。
−ネクタイの場合：（図２−１）まずネクタイを結び、首周りの真後ろ１をカットして、次に必要な長さ２まで更にカットする。次に（図２−２）裏返して、両端に面ファスナー４を付ける。一方ワイシャツも襟元を上に挙げ（図１−２）受け止めるほうの面ファスナー３を付ける。（図１−１）が出来上がり図です。
−蝶ネクタイの場合：（図３−１）従来市販の蝶ネクタイを（図３−２）３に装着出来る長さに７カットする。
−アクセサリーの場合：（図２−２）出来上がったネクタイに（図４）アクセサリー８を好きな所に好きなだけ固定する。
−マフラーの場合：市販のマフラーを半分にカットして出来たとき（図５）切った端９は綺麗に縫製加工しておく。出来た半分を（図５）の様に斜めに折る．着けたとき表に出る面１１に１３のように斜めに面ファスナーを付けて、首に装着した時にうまく１２の部分とかみ合うようにしなければいけない。美観としては、１４の部分が正面に垂れ下がるので従来同様かっこよく見える。
【図面の簡単な説明】
【０００８】
【図１−１】最終製品を面ファスナーを使い首周りに着けた図。
【図１−２】ワイシャツ側へ面ファスナーを付ける位置。
【図２−１】従来のネクタイをカットして作った最終製品の正面図。
【図２−２】（図２−１）の裏面図。
【図３−１】市販の蝶ネクタイの両端を短くカットした６。
【図３−２】裏側。７は５の面ファスナーに密着できるよう長さを調整した。
【図４】アクセサリーをネクタイの襟元と垂れ下がった部分の二箇所に着けた。
【図５】長さを半分にカットしたマフラーに面ファスナーを付ける位置。
【符号の説明】
【０００９】１  最初ネクタイを首に巻いたとき真後ろを二つに切る所。
２  短く切ったネクタイの両端を更に適当に短く切る。
３  ワイシャツの襟元を上に揚げ受け止めるほうの面ファスナーを付ける。
４  裏側の切った先端に３に装着できるように付ける面ファスナー。
５  蝶ネクタイを首に回した時真後ろから二分する。
６  カットした両端を３に装着出来るよう適当に更に短くカットする。
７  裏返して面ファスナーを３の装着に適当な長さに付ける。
８  アクセサリー、シンボルマーク等。
９  既製のマフラーを真っ二つに切り先端を折り曲げ縫製加工する。
１０  着けたとき裏側に回る。
１１  表側。
１２  裏側の面ファスナーの位置。
１３  表側の面ファスナーの位置。
１４  表側の垂れ下がった飾り。
【図１−１】
0003142893.tif 000003
【図１−２】
0003142893.tif 000004
【図２−１】
0003142893.tif 000005
【図２−２】
0003142893.tif 000006
【図３−１】
0003142893.tif 000007
【図３−２】
0003142893.tif 000008
【図４】
0003142893.tif 000009
【図５】
0003142893.tif 000010